(57)【要約】【課題】誘導灯の機能を有すると共に、火災時に避難者が火災現場に向かわないような情報を確実に避難者に提供することが可能な誘導灯装置を提供することにある。【解決手段】従来の誘導灯に相当する主表示部１０の背面側に、火災等の非常事態発生時のみ表示する補助表示部２０を配置した。補助表示部２０による表示は主表示部１０の、シンボル１１が照らし出された表示板１２上に同様に照らし出される。補助表示部２０による表示は非常事態の発生現場近傍の誘導灯装置及び発生現場に通ずる通路を表示している誘導灯装置に対して行われ、避難者が火災現場に向かわないような情報を確実に避難者に提供することによって該避難者が安全な避難行動を確保することができる。【選択図】図１
2009277545.tif 000002
【特許請求の範囲】
【請求項１】
第１の光源部と、誘導灯に用いられるシンボルを図柄とする表示パネルを有する表示板を備え、前記第１の光源部からの光で前記表示板を照明することにより前記表示パネルを照らし出す主表示部と、
前記主表示部の背面側に位置し、第２の光源部を備え、前記第２の光源部からの光で所定のデザインに形成された投射光を前記表示板に投影して前記表示板上に表示させる補助表示部を具備したことを特徴とする誘導灯装置。
【請求項２】
前記第１の光源部は、前記表示板の背面側に位置する導光板と該導光板の端部近傍に位置する光源を備え、前記光源から出射した光が前記導光板内を導光されて前記表示パネルを背面から照射することを特徴とする請求項１に記載の誘導灯装置。
【請求項３】
前記光源はＬＥＤであることを特徴とする請求項２に記載の誘導灯装置。
【請求項４】
前記第２の光源部は、所定のデザインに従って配置された複数のＬＥＤを備えたことを特徴とする請求項１〜３のいずれか１項に記載の誘導灯装置。
【請求項５】
前記ＬＥＤは、赤色の光を出射する赤色ＬＥＤであることを特徴とする請求項４に記載の誘導灯装置。
【請求項６】
複数個所に設置された前記誘導灯装置の少なくとも前記補助表示部は、複数個所に設置された煙感知器と共に信号制御部に接続され、火災時に作動した前記煙感知器からの入力信号を受信した前記信号制御部からの出力信号によって作動することを特徴とする請求項１〜５のいずれか１項に記載の誘導灯装置。
【発明の詳細な説明】
【技術分野】
【０００１】
本発明は、誘導灯装置に関するものであり、詳しくは、避難口誘導灯や通路誘導灯等の誘導灯装置に関する。
【背景技術】
【０００２】
誘導灯は、その構造及び性能等に関する基準が消防法に基づいて定められていると共に、避難口誘導灯は避難口の近傍に設置して避難口の位置を明示し、通路誘導灯は階段又は傾斜路に設置して避難上必要な床面照度を確保し、階段又は傾斜路以外の避難上の設備がある場所に設置して避難の方向を明示するものである。
【０００３】
また、誘導灯のシンボルについても、避難口を示すもの、避難の方向を示すもの、或いは避難口であることを示す文字等について形状、大きさ、及び色彩等が定められており、非常時において避難者が適切な避難行動をとれるように視認性の確保を図っている。
【０００４】
ところで、上述のシンボルは常時固定パターンであるために、避難者は誘導灯からは非常事態に関する情報を一切得ることができず、不安な心理状態の中で避難行動をとらざるを得ない。また、非常事態の発生場所を特定する情報もなく、非常事態の発生場所を避ける避難経路も表示されない。そのため、避難者が非常事態の発生場所に向かって避難行動を起こし、最悪の場合、非常事態に巻き込まれる恐れがある。
【０００５】
そこで、誘導灯のシンボルとは別に付加表示部を設け、該付加表示部に付加情報を表示させることにより非常時において避難者が適切な状況判断を行い易いようにしたものが提案されている。
【０００６】
具体的には、図１０及び図１１に示すように、誘導灯５０に、フリーパターンによる文字表示が可能な表示パネル５１を有する付加表示部５２を併設し、例えば火災報知設備からの信号を受けて図１０のように付加表示部５２の表示パネル５１に「火災発生」と付加情報を表示して非常事態の発生を報知し、図１１のように火災報知設備及び火災現場の煙感知器の夫々からの信号を受けて表示パネル５１に「下階へ避難」と付加情報を表示して避難者に適切な避難方向を指示するものである（例えば、特許文献１参照。）。
【特許文献１】特開２００７−１９３９８１号公報
【発明の開示】
【発明が解決しようとする課題】
【０００７】
ところで上記誘導灯５０において、例えば非常事態が火災の場合、避難経路に煙が充満して視界が妨げられ、表示パネル５１に表示された付加情報の文字の判別が困難となって避難者に適切な情報が提供できない状況が生じることも考えられる。
【０００８】
そこで、本発明は上記問題に鑑みて創案なされたもので、その目的とするところは、誘導灯の機能を有すると共に、特に火災時の煙が充満している中にあっても避難者が火災現場に向かわないような情報を確実に避難者に提供することが可能な誘導灯装置を提供することにある。
【課題を解決するための手段】
【０００９】
上記課題を解決するために、本発明の請求項１に記載された発明は、第１の光源部と、誘導灯に用いられるシンボルを図柄とする表示パネルを有する表示板を備え、前記第１の光源部からの光で前記表示板を照明することにより前記表示パネルを照らし出す主表示部と、前記主表示部の背面側に位置し、第２の光源部を備え、前記第２の光源部からの光で所定のデザインに形成された投射光を前記表示板に投影して前記表示板上に表示させる補助表示部を具備したことを特徴とするものである。
【００１０】
また、本発明の請求項２に記載された発明は、請求項１において、前記第１の光源部は、前記表示板の背面側に位置する導光板と該導光板の端部近傍に位置する光源を備え、前記光源から出射した光が前記導光板内を導光されて前記表示パネルを背面から照射することを特徴とするものである。
【００１１】
また、本発明の請求項３に記載された発明は、請求項２において、前記光源はＬＥＤであることを特徴とするものである。
【００１２】
また、本発明の請求項４に記載された発明は、請求項１〜３のいずれか１項において、前記第２の光源部は、所定のデザインに従って配置された複数のＬＥＤを備えたことを特徴とするものである。
【００１３】
また、本発明の請求項５に記載された発明は、請求項４において、前記ＬＥＤは、赤色の光を出射する赤色ＬＥＤであることを特徴とするものである。
【００１４】
また、本発明の請求項６に記載された発明は、請求項１〜５のいずれか１項において、複数個所に設置された前記誘導灯装置の少なくとも前記補助表示部は、複数個所に設置された煙感知器と共に信号制御部に接続され、火災時に作動した前記煙感知器からの入力信号を受信した前記信号制御部からの出力信号によって作動することを特徴とするものである。
【発明の効果】
【００１５】
本発明の誘導灯装置は、誘導灯に用いられるシンボルを図柄とする表示パネルを照明して照らし出す主表示部の背面側に、所定のデザインに形成された投射光を前記表示板に投影して前記表示板上に表示させる補助表示部を備えた。
【００１６】
そして、複数個所に設置された前記誘導灯装置の少なくとも前記補助表示部が、複数個所に設置された煙感知器の作動信号を受けた信号制御部からの出力信号によって作動するようにした。
【００１７】
その結果、誘導灯の機能を有すると共に、特に火災時の煙が充満している中にあっても避難者が火災現場に向かわないような情報を確実に避難者に提供することが可能な誘導灯装置を実現することができた。
【発明を実施するための最良の形態】
【００１８】
以下、この発明の好適な実施形態を図１から図９を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１９】
本発明は、避難口誘導灯或いは通路誘導灯等の誘導灯において、照明光源の常時点灯におけるシンボル表示に加え、火災等の非常事態の発生時に発生現場近傍の避難口誘導灯及び発生現場に通ずる通路を表示している通路誘導灯に侵入禁止マークを表示し、避難者が非常事態の発生場所に向かって避難行動を起こすのを防止するためのものである。
【００２０】
本発明の実施形態の具体的な構成を、図１の分解立体図及び図２の断面図によって示している。本実施形態は避難口であることを示すシンボル表示を有する避難口誘導灯装置について示している。
【００２１】
誘導灯装置１は主表示部１０と補助表示部２０で構成されている。主表示部１０は、前面に、シンボル１１を記した透過型の表示板１２が配置され、表示板１２の背面側には該表示板１２の全面を均一な輝度分布で照明するための面照明装置１３が配置されている。
【００２２】
面照明装置１３は、透明部材からなる導光板１４と該導光板１４に導入する光を出射する光源モジュール１５を備えている。導光板１４は表示板１２と反対側の面が傾斜面となっており、導光板１４の板厚が厚い側の端部１６近傍に、光の出射方向を導光板１４の前記端部１６に向けた発光源となるＬＥＤ１７を有する光源モジュール１５が配置されている。
【００２３】
光源モジュール１５を構成する各ＬＥＤ１７に電流を供給すると共に供給する電流を制御するＬＥＤ駆動回路（図示せず）は、光源モジュール１５内に内蔵してもよいし、光源モジュール１５外に設けてケーブルを介してＬＥＤ１７に接続してもよい。
【００２４】
上記、表示板１２及び面照明装置１３で構成された主表示部１０において、面照明装置１３の光源モジュール１５から出射して端部１６を介して導光板１４内に入射した光線は、導光板１４内を導光されて直射光線Ｌ１及び傾斜面で反射された反射光Ｌ２として表示板１２に到達し、表示板１２の全面を均一な輝度分布で照明する。その照明光によって表示板１２のシンボル１１が照らし出される（図２参照）。
【００２５】
上述の主表示部１０は、面照明装置１３の常時点灯によりシンボル表示を行う、従来の誘導灯そのものである。本発明では、従来の誘導灯に相当する主表示部１０の背面側に、非常事態が発生したときに適切な場所に設置された誘導灯の表示板上に侵入禁止マークを表示するような手段を設けている。
【００２６】
具体的には、図１に戻って、導光板１４の表示板１２と反対側に侵入禁止マーク２４を表示する補助表示部２０を配置するものである。
【００２７】
補助表示部２０は、複数のＬＥＤ１７が所定のデザインに従って配置・実装されたＬＥＤ実装基板２１と、ＬＥＤ１７の配置位置に対応する位置に貫通溝２２を設けたハウジング２３で構成され、ＬＥＤ実装基板２１上に、貫通溝２２がＬＥＤ１７を囲むようにハウジング２３が載置されている。本実施形態おいては、ＬＥＤ１７の配置デザインをＸ状とした。
【００２８】
ＬＥＤ実装基板２１に配置・実装された各ＬＥＤ１７に電流を供給すると共に供給する電流を制御するＬＥＤ駆動回路（図示せず）は、補助光源部２０内に設けてもよいし、補助光源部２０外に設けてケーブルを介してＬＥＤ１７に接続してもよい。
【００２９】
上記、ＬＥＤ実装基板２１及びハウジング２３で構成された補助表示部２０において、ＬＥＤ実装基板２１に配置・実装された各ＬＥＤ１７から出射した光線Ｌ３は、前面側に位置する、主表示部１０を構成する導光板１４の背面にＸパターン状に到達し、導光板１４内を導光されて表示板１２をそのままＸパターン状に照射する。
【００３０】
このとき、表示板１２は透過型の部材で構成されており、補助表示部２０からの光線Ｌ３によって表示板１２の背面に照射されたＸ状パターンは、表示板１２の前面側からもＸ状パターン２５として観視できる（図２参照）。
【００３１】
つまり、図３のように、常時点灯の面照明装置１３により避難口であることを示すシンボル１１の表示が照らし出された表示板１２上に、図４のように、非常事態発生時に点灯させた、ＬＥＤ実装基板２１に配置・実装された各ＬＥＤ１７による侵入禁止マーク２４（本実施形態ではＸパターン２５）を同時に表示させることができる。
【００３２】
このとき、避難口であることを示すシンボル表示は地の色彩が白色でシンボル１１の色彩が緑色であり、補助表示部２０を構成する各ＬＥＤを赤色光を出射する赤色ＬＥＤとすることにより侵入禁止マーク２４を赤色表示することができる。
【００３３】
すると、本発明の誘導灯装置を観視した場合、緑色で照らし出された、避難口であることを示すシンボル１１の表示上に侵入禁止マーク２４が遠くからでも目立つような赤色系の光で照らし出され、特に火災時の煙が充満している中にあっても避難者が火災現場に向かわないようなメッセージを該避難者に確実に伝達することが可能となる。
【００３４】
なお、侵入禁止マーク２４は上述のＸ状パターン２５に限られるものではなく、例えば図５のように、表示板１２の周縁部に環状パターン２６で表示することも可能である。この場合は当然、補助表示部２０を構成するＬＥＤ実装基板２１に配置・実装される各ＬＥＤ１７を環状に配置し、ハウジング２３に設けられる貫通溝２２を環状に形成する。
【００３５】
通路誘導灯についても上述したような、主表示部と補助表示部の構成で誘導灯装置を実現することができる。図６はそのときの表示板１２に照らし出されるシンボル１１であり、図７はシンボル１１の表示が照らし出された表示板１２上に同時に侵入禁止マーク２４（Ｘパターン２５）表示させた状態を示している。図８は、侵入禁止マーク２４を表示板１２の周縁部に環状パターン２６で表示したものである。
【００３６】
次に、誘導灯装置を含めた防火システムの一例について図９を参照して説明する。無停電電源装置（ＵＰＳ：Uninterruptible Power Systems）３０に商用電源（例えば、ＡＣ１００Ｖ電源）３１が接続され、その出力が第１のＡＣ／ＤＣコンバータ３２及び第２のＡＣ／ＤＣコンバータ３３に接続されている。
【００３７】
第１のＡＣ／ＤＣコンバータ３２の出力は信号制御用のマイクロコンピュータ３４に接続されて該マイクロコンピュータ３４に電源電圧を供給し、第２のＡＣ／ＤＣコンバータ３３は誘導灯装置１の主表示部１０の、ＬＥＤを発光源とする光源モジュールに電力を供給すると共に、同じく誘導灯装置１のＬＥＤを発光源とする補助表示部２０に電力を供給するようになっている。なお、ＬＥＤに電流を供給すると共に供給する電流を制御するＬＥＤ駆動回路は、光源モジュール１５内及び補助光源部２０内に設けられているものとする。
【００３８】
マイクロコンピュータ３４の入力端子は、所定の箇所に配置された、センサ３５と検知回路３６で構成された煙感知器３７の夫々に接続され、マイクロコンピュータ３４の出力は各補助光源（図示していないが、補助光源のＬＥＤ駆動回路）２０に接続されている。
【００３９】
そこで、火災等の非常事態が発生して何れかの煙感知器３７が作動すると、その非常信号がマイクロコンピュータ３４に送られ、該マイクロコンピュータ３４は作動した煙感知器３７の特定を行う。そして、特定された煙感知器３７に近傍およびその方向に向かう経路に設置された誘導灯装置１の補助表示部２０のＬＥＤ駆動回路にＬＥＤ点灯信号を送信し、点灯されたＬＥＤ光源によって誘導灯装置１の表示板上に侵入禁止マーク２４が表示される。
【００４０】
すると、避難者は、特に火災時の煙が充満している中の避難行動においても誘導灯装置のシンボル表示上に照らし出された、遠くからでも目立つ色彩による侵入禁止マークを認識することにより、非常事態が発生した現場方向を避けて安全な方向に避難を行うことができる。
【００４１】
なお、補助表示部２０による侵入禁止マーク２４の表示と主表示部１０によるシンボル１１の表示は同時に行われるが、侵入禁止マーク２４の表示とシンボル１１の表示を切り替え表示とすることも可能である。つまり、侵入禁止マーク２４とシンボル１１のいずれか一方を表示する方法である。
【００４２】
このように、本発明の誘導灯装置は、誘導灯の機能を有すると共に、特に火災時の煙が充満している中にあっても避難者が火災現場に向かわないような情報を確実に避難者に提供することによって安全な避難を確保することができる、という優れた効果を奏するものである。
【図面の簡単な説明】
【００４３】
【図１】本発明の実施形態の概略を示す分解立体図である。
【図２】図１の断面図である。
【図３】本発明の実施形態に係る表示部の表示パターンを示す図である。
【図４】同じく、表示部の表示パターンを示す図である。
【図５】同じく、表示部の表示パターンを示す図である。
【図６】本発明の実施形態に係る他の表示部の表示パターンを示す図である。
【図７】同じく、他の表示部の表示パターンを示す図である。
【図８】同じく、他の表示部の表示パターンを示す図である。
【図９】本発明を含めた防火システムの一例を示す図である。
【図１０】従来例の表示パターンを示す図である。
【図１１】従来例の他の表示パターンを示す図である。
【符号の説明】
【００４４】
１  誘導灯装置
１０  主表示部
１１  シンボル
１２  表示板
１３  面照明装置
１４  導光板
１５  光源モジュール
１６  端部
１７  ＬＥＤ
２０  補助表示部
２１  ＬＥＤ実装基板
２２  貫通溝
２３  ハウジング
２４  侵入禁止マーク
２５  Ｘ状パターン
２６  環状パターン
【図１】
2009277545.tif 000003
【図２】
2009277545.tif 000004
【図３】
2009277545.tif 000005
【図４】
2009277545.tif 000006
【図５】
2009277545.tif 000007
【図６】
2009277545.tif 000008
【図７】
2009277545.tif 000009
【図８】
2009277545.tif 000010
【図９】
2009277545.tif 000011
【図１０】
2009277545.tif 000012
【図１１】
2009277545.tif 000013